(57)【要約】【目的】表示画面の照明用の光源を補助光の光源として利用する。【構成】デジタルカメラ１０では、ＬＣＤ２１を照明するための光源である蛍光管２５から発光された光を反射板２９によって被写体Ａへ向かって反射し、被写体Ａに補助光として照射させる。これによって、ＡＦ機構の合焦制御等のための補助光用の光源を別個設ける必要がなく、部品コストを低減でき、消費電力を低減できる。【選択図】  図３
2005057330.tif 000002
【特許請求の範囲】
【請求項１】
画像を表示する表示画面と、
光を発光する発光手段と、
前記発光手段で発光された光を前記表示画面へ照射させる照射手段と、
前記光を被写体へ照射させて前記被写体を照明する導光手段と、を有することを特徴とする撮影装置。
【請求項２】
前記照射手段は、前記表示画面の裏側に設けられ、前記発光手段で発光された光を前記表示画面の裏面へ照射させる反射部材であることを特徴とする請求項１に記載の撮影装置。
【請求項３】
前記照射手段は、前記表示画面の表側に設けられ、前記発光手段で発光された光を前記表示画面の表面へ照射させると共に、前記表示画面で反射された光を透過する照射部材であることを特徴とする請求項１に記載の撮影装置。
【請求項４】
前記導光手段は、前記光を反射して前記被写体へ照射させる反射板であることを特徴とする請求項１乃至３の何れかに記載の撮影装置。
【請求項５】
前記反射板は、前記光を前記被写体へ向かって反射する位置と、前記光を前記表示画面の裏面へ向かって反射する位置との間を回動可能とされていることを特徴とする請求項４に記載の撮影装置。
【請求項６】
前記反射板を回動させる反射板駆動手段と、
前記被写体を測距する測距手段と、
前記測距手段が前記被写体を測距できなかった時に、前記反射板駆動手段を駆動させて前記反射板を回動させ、前記光を前記被写体へ向かって反射させる第１の反射板制御手段と、を有することを特徴とする請求項５に記載の撮影装置。
【請求項７】
前記被写体の周囲の光量を測光する第１の測光手段と、
前記被写体の輝度を測光する第２の測光手段と、
前記第１の測光手段、及び前記第２の測光手段によって測光された光量の少なくとも一方が所定値を下回った時に、前記反射板駆動手段を駆動させ、前記光を前記被写体へ向かって反射させる第２の反射板制御手段と、を有することを特徴とする請求項５又は６に記載の撮影装置。
【請求項８】
前記導光手段は、前記発光手段に面し、前記光を通過させて前記被写体へ照射させる通過窓であることを特徴とする請求項１乃至３の何れかに記載の撮影装置。
【請求項９】
前記通過窓にスライド可能に設けられ、前記通過窓を開閉する遮光板を有することを特徴とする請求項８に記載の撮影装置。
【請求項１０】
前記被写体を測距する測距手段と、
前記遮光板をスライドさせる遮光板駆動手段と、
前記測距手段が前記被写体を測距できなかった時に、前記遮光板駆動手段を駆動させて前記遮光板を開き、前記光を前記通過窓を通過させて前記被写体へ照射させる第１の遮光板制御手段と、を有することを特徴とする請求項９に記載の撮影装置。
【請求項１１】
前記被写体の周囲の光量を測光する第１の測光手段と、
前記被写体の輝度を測光する第２の測光手段と、
前記第１の測光手段、及び前記第２の測光手段によって測光された光量の少なくとも一方が所定値を下回った時に、前記遮光板駆動手段を駆動させて前記遮光板を開き、前記光を前記通過窓を通過させて前記被写体へ照射させる第２の遮光板制御手段と、を有することを特徴とする請求項９又は１０に記載の撮影装置。
【請求項１２】
発光して画像を表示する発光表示画面を備える撮影装置であって、
前記発光表示画面は、発光して画像を表示する表示領域と、
発光して前記被写体を照射する被写体照射領域と、で構成されていることを特徴とする撮影装置。
【請求項１３】
前記被写体照射領域から前記被写体へ向かって延出し、前記被写体照射領域から発光された光を前記被写体へ照射させるライトガイドを有することを特徴とする請求項１２に記載の撮影装置。
【請求項１４】
前記被写体を測距する測距手段と、
前記測距手段が前記被写体を測距できなかった時に、前記被写体照射領域を発光させ、前記光を前記被写体へ照射させる第１の発光表示画面制御手段と、を有することを特徴とする請求項１２又は１３に記載の撮影装置。
【請求項１５】
前記被写体の周囲の光量を測光する第１の測光手段と、
前記被写体の輝度を測光する第２の測光手段と、
前記第１の測光手段、及び前記第２の測光手段によって測光された光量の少なくとも一方が所定値を下回った時に、前記被写体照射領域を発光させ、前記光を前記被写体へ照射させる第２の発光表示画面制御手段と、を有することを特徴とする請求項１２乃至１４の何れかに記載の撮影装置。
【発明の詳細な説明】
【０００１】
【発明の属する技術分野】
本発明は、表示画面を備える撮影装置に関する。
【０００２】
【従来の技術】
従来のデジタルカメラでは、液晶画面を照明するバックライトは、液晶画面を照明するために専用で設けられ、オートフォーカスや撮影等を暗所や逆光等の条件下で行う際に発光される補助光の光源はバックライトとは別に設けられていた。（例えば、特許文献１乃至４参照）。このため、部品コストが増加し、また消費電力が増加する等の問題があった。
【０００３】
【特許文献１】
特開平８−１２５９４７号公報
【特許文献２】
特開平１０−２２２１１２号公報
【特許文献３】
特開平１０−２６８２９７号公報
【特許文献４】
特開平１０−２８８７８１号公報
【０００４】
【発明が解決しようとする課題】
上述の事情に鑑み、本発明は、表示画面を表示させるための光源をオートフォーカスや撮影のための補助光としても利用することを目的とするものである。
【０００５】
【課題を解決するための手段】
請求項１に記載の撮影装置は、画像を表示する表示画面と、光を発光する発光手段と、前記発光手段で発光された光を前記表示画面へ照射させる照射手段と、前記光を被写体へ照射させて前記被写体を照明する導光手段と、を有することを特徴とする。
【０００６】
請求項１に記載の撮影装置では、発光手段から発光された光が、照射手段によって液晶等の表示画面へ照射される。これによって、表示画面が照明され、明るく表示される。
【０００７】
また、発光手段から発光された光は、導光手段によって被写体へ照射され、被写体を照明する。これによって、暗所や逆光等の条件下でも適当な明るさで被写体を撮影でき、またオートフォーカスの合焦制御が可能となる。
【０００８】
このように、オートフォーカス等のための補助光用の光源を表示画面の照明用の光源と共用にしたことで、これらを別々に設ける場合と比較して部品コスト、消費電力を低減できる。
【０００９】
請求項２に記載の撮影装置は、請求項１に記載の撮影装置であって、前記照射手段は、前記表示画面の裏側に設けられ、前記発光手段で発光された光を前記表示画面の裏面へ照射させる反射部材であることを特徴とする。
【００１０】
請求項２に記載の撮影装置では、発光手段から発光された光が、透過型液晶画面等の表示画面の裏側に設けられた反射部材によって表示画面の裏側に照射され、表示画面を透過する。これによって、表示画面が明るく表示される。また、請求項１と同様に、発光手段から発行された光は被写体へ照射され、被写体を照明する。
【００１１】
請求項３に記載の撮影装置は、請求項１に記載の撮影装置であって、前記照射手段は、前記表示画面の表側に設けられ、前記発光手段で発光された光を前記表示画面の表面へ照射させると共に、前記表示画面で反射された光を透過する照射部材であることを特徴とする。
【００１２】
請求項３に記載の撮影装置では、発光手段から発光された光が、反射型液晶画面等の表示画面の表側に設けられた照射部材によって表示画面の表面へ照射され、表示画面で反射されて反射部材を透過する。これによって、表示画面が表示される。また、請求項１、２と同様に、発光手段から発光された光は被写体へ照射され、被写体を照明する。
【００１３】
請求項４に記載の撮影装置は、請求項１乃至３の何れかに記載の撮影装置であって、前記導光手段は、前記光を反射して前記被写体へ照射させる反射板であることを特徴とする。
【００１４】
請求項４に記載の撮影装置では、発光手段から発光された光が、反射部材によって反射されて表示画面へ照射され、導光手段としての反射板によって反射されて被写体へ照射される。これによって、発光手段を表示画面の照明用と補助光用の光源として共用できる。
【００１５】
なお、３倍ズーム、３メガピクセルの条件でオートフォーカスを行う場合、１０ｍ先まで補助光を到達させることが必要となる。これは、高輝度タイプのＬＥＤ、ＦＬ管の光量で足り、通常の液晶画面照明用の光源の光量であれば十分大きい。このため、発光手段を同時に表示画面の照明用と補助光用の光源として使用しても、双方十分に機能する。
【００１６】
請求項５に記載の撮影装置は、請求項４に記載の撮影装置であって、前記反射板は、前記光を前記被写体へ向かって反射する位置と、前記光を前記表示画面の裏面へ向かって反射する位置との間を回動可能とされていることを特徴とする。
【００１７】
請求項５に記載の撮影装置では、反射板が回動可能に設けられており、発光手段から発光された光は、反射板によって被写体へ向かって反射され、又は、表示画面の裏側へ反射されて表示画面の裏面へ照射される。
【００１８】
ここで、周囲が明るい場合、液晶等の表示画面は暗く表示され見辛くなる。これに対して被写体は明るくなり補助光を必要としない。この場合は、反射板によって、発光手段から発光された光を全て表示画面の裏側へ反射して、表示画面を明るく表示させるようにすれば良い。
【００１９】
また、周囲が暗い場合、液晶画面は明るく表示され見易くなる。これに対して被写体は暗くなり補助光なしではオートフォーカスの合焦制御等が困難になるので、この場合は、反射板によって、発光手段から発光された光の一部を補助光として被写体へ照射させるようにすれば良い。
【００２０】
請求項６に記載の撮影装置は、請求項５に記載の撮影装置であって、前記反射板を回動させる反射板駆動手段と、前記被写体を測距する測距手段と、前記測距手段が前記被写体を測距できなかった時に、前記反射板駆動手段を駆動させて前記反射板を回動させ、前記光を前記被写体へ向かって反射させる第１の反射板制御手段と、を有することを特徴とする。
【００２１】
請求項６に記載の撮影装置では、測距手段が被写体を測距できなかった時に、第１の反射板制御手段は反射板駆動手段を駆動させて反射板を回動させ、発光手段から発光された光を被写体へ向かって反射させる。これによって、被写体のコントラストが鮮明になり、ＡＦの合焦制御が容易になる。また、補助光のオン・オフが自動的に切換えられ、補助光が不要な時は常に表示画面が明るく表示される。
【００２２】
請求項７に記載の撮影装置は、請求項５又は６に記載の撮影装置であって、前記被写体の周囲の光量を測光する第１の測光手段と、前記被写体の輝度を測光する第２の測光手段と、前記第１の測光手段、及び前記第２の測光手段によって測光された光量の少なくとも一方が所定値を下回った時に、前記反射板駆動手段を駆動させ、前記光を前記被写体へ向かって反射させる第２の反射板制御手段と、
を有することを特徴とする。
【００２３】
請求項７に記載の撮影装置では、被写体の周囲の光量が第１の測光手段によって測光され、被写体の輝度が第２の測光手段によって測光される。第１の測光手段、第２の測光手段によって測光された光量の少なくとも一方が所定値を下回り、被写体の周囲、又は被写体が暗い時に、第２の反射板制御手段が、反射板駆動手段を駆動させて反射板を回動させ、発光手段から発光された光を被写体へ照射させる。これによって、被写体が照明され、暗所や逆光等の条件下でも被写体が明るく撮影される。
【００２４】
請求項８に記載の撮影装置は、請求項１乃至３の何れかに記載の撮影装置であって、前記導光手段は、前記発光手段に面し、前記光を通過させて前記被写体へ照射させる通過窓であることを特徴とする。
【００２５】
請求項８に記載の撮影装置では、発光手段から発光された光が、反射部材によって反射されて表示画面へ照射される。また、導光手段としての通過窓が発光手段に面しており、発行手段から発行された光は通過窓を通過して被写体へ照射される。
【００２６】
このように、発光手段から発光された光を被写体へ直進させるようにしたことで、補助光の反射角度の調整が不要となる。また、補助光を反射板によって反射する場合と比して補助光の光量の減衰が少なくなる。
【００２７】
請求項９に記載の撮影装置は、請求項８に記載の撮影装置であって、前記通過窓にスライド可能に設けられ、前記通過窓を開閉する遮光板を有することを特徴とする。
【００２８】
請求項９に記載の撮影装置では、遮光板がスライドされて通過窓は開閉される。これによって、発光手段から発光された光は、通過窓を通過して被写体へ照射され、又は遮光板によって遮光される。このため、被写体へ補助光を照射する必要がない場合は、発光手段から発光された光を全て表示画面へ照射させ、表示画面を明るく表示させることができる。
【００２９】
請求項１０に記載の撮影装置は、請求項９に記載の撮影装置であって、前記被写体を測距する測距手段と、前記遮光板をスライドさせる遮光板駆動手段と、前記測距手段が前記被写体を測距できなかった時に、前記遮光板駆動手段を駆動させて前記遮光板を開き、前記光を前記通過窓を通過させて前記被写体へ照射させる第１の遮光板制御手段と、を有することを特徴とする。
【００３０】
請求項１０に記載の撮影装置では、測距手段が被写体を測距できなかった場合、第２の制御手段が遮光板駆動手段を駆動させて遮光板を開き、発光手段から発光された光を通過窓を通過させて被写体へ照射させる。これによって、被写体のコントラストの最大値を得ることができ、ＡＦの合焦制御が可能となる。また、補助光のオン・オフが自動的に切換えられ、補助光が不要な時は常に表示画面が明るく表示される。
【００３１】
請求項１１に記載の撮影装置は、請求項９又は１０に記載の撮影装置であって、前記被写体の周囲の光量を測光する第１の測光手段と、前記被写体の輝度を測光する第２の測光手段と、前記第１の測光手段、及び前記第２の測光手段によって測光された光量の少なくとも一方が所定値を下回った時に、前記遮光板駆動手段を駆動させて前記遮光板を開き、前記光を前記通過窓を通過させて前記被写体へ照射させる第２の遮光板制御手段と、を有することを特徴とする。
【００３２】
請求項１１に記載の撮影装置では、被写体の周囲の光量が第１の測光手段によって測光され、被写体の輝度が第２の測光手段によって測光される。そして、これらの光量の少なくとも一方が所定値を下回った時に、第２の遮光板制御手段が、遮光板駆動手段を駆動させて遮光板を開き、発光手段から発光された光を通過窓を通過させて被写体へ照射させる。これによって、被写体が照明され、暗所や逆光等の条件下でも被写体が明るく撮影される。
【００３３】
請求項１２に記載の撮影装置は、発光して画像を表示する発光表示画面を備える撮影装置であって、前記発光表示画面は、発光して画像を表示する表示領域と、発光して前記被写体を照射する被写体照射領域と、で構成されていることを特徴とする。
【００３４】
請求項１２に記載の撮影装置では、有機ＥＬ素子等の発光表示画面の表示領域が発光して画像を表示し、発光表示画面の被写体照射領域が発光して被写体を照射する。このように、発光表示画面から発光された光を補助光として利用することで、補助光用の光源が不要となったので、部品点数が減少する。
【００３５】
請求項１３に記載の撮影装置は、請求項１２に記載の撮影装置であって、前記被写体照射領域から前記被写体へ向かって延出し、前記被写体照射領域から発光された光を前記被写体へ照射させるライトガイドを有することを特徴とする。
【００３６】
請求項１３に記載の撮影装置では、ライドガイドが発光表示画面の被写体照射領域から被写体へ向かって延出し、被写体照射領域から発光された光が被写体へ照射される。このため、被写体照射領域は被写体側を向いている必要がないので、発光表示画面を、撮影者側を向いた平面状のものとすることができる。従って、発光表示画面の製造が容易になる。
【００３７】
請求項１４に記載の撮影装置は、請求項１２又は１３に記載の撮影装置であって、前記被写体を測距する測距手段と、前記測距手段が前記被写体を測距できなかった時に、前記被写体照射領域を発光させ、前記光を前記被写体へ照射させる第１の発光表示画面制御手段と、を有することを特徴とする。
【００３８】
請求項１４に記載の撮影装置では、第１の発光表示画面制御手段が、測距手段が被写体を測距できなかった時に、被写体領域を発光させ、被写体へ光を照射させる。これによって、被写体のコントラストが鮮明になるので、コントラストが最大となるようにレンズ位置を調整する方式のＡＦの合焦制御が可能となる。また、補助光が不要な時は被写体照射領域は発光されないので、消費電力が減少される。
【００３９】
請求項１５に記載の撮影装置は、請求項１２乃至１４の何れかに記載の撮影装置であって、前記被写体の周囲の光量を測光する第１の測光手段と、前記被写体の輝度を測光する第２の測光手段と、前記第１の測光手段、及び前記第２の測光手段によって測光された光量の少なくとも一方が所定値を下回った時に、前記被写体照射領域を発光させ、前記光を前記被写体へ照射させる第２の発光表示画面制御手段と、を有することを特徴とする。
【００４０】
請求項１５に記載の撮影装置では、暗所や逆光等の条件下での撮影で、被写体へ補助光を照射する必要がある時のみ、被写体照射領域が発光される。これによって、省電力化が可能となる。
【００４１】
【発明の実施の形態】
以下に図面を参照しながら本発明の第１の実施の形態について説明する。
【００４２】
図１に示すように、撮影装置としてのデジタルカメラ１０は、光学ユニット１２やレリーズボタン１７等のカメラ機能を備えるカメラ本体１１と、ＬＣＤユニット１６や補助光窓３５を備える液晶表示部１３とで構成されている。カメラ本体１１と液晶表示部１３はヒンジ１５で回動可能に連結され、図示されている液晶表示部１３が開かれた形態と、液晶表示部１３が閉じられた形態の２つの形態を取ることができる。
【００４３】
図２に示すように、デジタルカメラ１０は、被写体像を結像させるためのレンズを含んで構成された光学ユニット１２と、光学ユニット１２の光軸後方に配設されたＣＣＤ（Ｃｈａｒｇｅ  Ｃｏｕｐｌｅｄ    Ｄｅｖｉｃｅ）１４と、デジタルカメラ１０の撮影によって得られた画像や各種情報を表示するためのＬＣＤユニット１６と、撮影者によって操作される操作手段１８と、主としてＣＣＤ１４による撮影によって得られたデジタル画像データを一時的に記憶する主記憶装置としてのＳＤＲＡＭ２０と、各種プログラム、パラメータなどが予め記憶された外部ＲＯＭ２２と、デジタルカメラ１０全体の動作を司る主制御部２４と、を備えて構成されている。
【００４４】
なお、操作手段１８としては、静止画や動画撮影の実行を指示する際に操作されるレリーズボタン１７（図１参照）、静止画撮影モード、動画撮影モード、及び再生モードの何れかを選択するために操作される撮影モード選択手段としてのモード切替スイッチ、各種パラメータを設定したり、再生モード選択時には再生対象の画像を指定するために操作されるカーソルボタン、本デジタルカメラ１０の電源をＯＮ／ＯＦＦするために操作される電源スイッチ等が含まれる。
【００４５】
また、主制御部２４は、アナログ信号をデジタル信号に変換するＡ／Ｄコンバータ３０と、光学ユニット１２の光学ズーム倍率及び焦点を調整するＡ／Ｆ制御回路３２と、ＬＣＤユニット１６に画像を表示させるＬＣＤ駆動回路３４と、ＳＤＲＡＭ２０に対するデータの読み書きを制御するメモリ制御回路３６と、デジタルカメラ１０とＵＳＢケーブル等の所定のケーブルを介して接続された外部機器としてのＰＣ７０と各種データの送受信を行うための通信制御回路４０と、記録メディア７２に対する各種データの読み書きを制御するメディア制御回路４２とが、入力されたデジタル信号に対して種々の処理を施す画像処理回路及びＣＰＵからなる画像処理部４４と接続されて構成されている。
【００４６】
画像処理部４４は、デジタルカメラ１０の全体的な動作を司るものであり、撮影者による操作手段１８の操作状況を把握し、把握した操作状況に応じて、上記主制御部２４の各部の動作を制御する。
【００４７】
なお、主制御部２４は、１チップＬＳＩ（Ｌａｒｇｅ    Ｓｃａｌｅ  Ｉｎｔｅｇｒａｔｅｄ  Ｃｉｒｃｕｉｔ）として構成されており、これによってデジタルカメラ１０の小型化、高信頼性化、及び低コスト化が図られている。
【００４８】
光学ユニット１２は、図示しないズームレンズ群及びフォーカスレンズを有し、且つそれぞれを光軸方向に移動させるレンズ移動機構を備え、焦点距理の変更（片倍）が可能なズームレンズとして構成されている。
【００４９】
光学ユニット１２は、Ａ／Ｆ制御回路３２と接続されており、Ａ／Ｆ制御回路３２の制御により、所望のズーム倍率になるようにズームレンズ群が光軸方向に移動され（焦点距理可変レンズ）、レンズを通過した被写体像を示す入射光がＣＣＤ１４の受光面上に結像するように、フォーカスレンズが光軸方向に移動される（オートフォーカス（ＡＦ）機構）ようになっている。これにより、ＣＣＤ１４では、光学ユニット１２のレンズを通過した被写体像を示す入射光に基づき被写体を撮影して被写体像を示すアナログ画像信号を出力する。
【００５０】
ＡＦ機構の合焦制御としては、撮影者によって得られた画像のコントラストが最大となるようにレンズ位置を調整する、所謂ＴＴＬ（Ｔｈｒｏｕｇｈ    Ｔｈｅ  Ｌｅｎｓ）方式を採用しており、撮影エリア内の予め定められた位置（ＡＦフレーム）に存在する被写体に焦点が合うように、自動的に合焦制御が行われるようになっている。
【００５１】
具体的には、撮影者による操作手段１８のモード切替スイッチの操作により、静止画を撮影するための静止画撮影モードが選択されている場合には、レリーズボタンが半押しされることによって、自動的に合焦制御が行われる。一方、動画を撮影するための動画撮影モードが選択されている場合には、レリーズボタンが全押しされて、撮影が開始された後、連続的に合焦制御が行われるようになっている。
【００５２】
なお、撮影者によって得られた画像のコントラストの最大値が得られずに被写体を測距できなかった場合は、補助光を被写体に照射する。この点には後に詳細に説明する。
【００５３】
ＣＣＤ１４の出力端は、Ａ／Ｄコンバータ３０と接続されている。すなわち、Ａ／Ｄコンバータ３０は、ＣＣＤ１４により撮影されて出力された被写体像を示すアナログ画像信号をデジタル画像信号に変換する。Ａ／Ｄコンバータ３０の出力端は、画像処理部４４と接続されている。すなわち、画像処理部４４には、撮影時にＣＣＤ１４によって得られた被写体像を示す画像信号が、アナログ信号からデジタル信号に変換された後、入力され、デジタル画像データとして取り扱われる。
【００５４】
画像処理部４４は、入力されたデジタル画像データに対して、光源種に応じたデジタルゲインをかけることでホワイトバランス調整を行うと共に、ガンマ処理及ぶシャープネス処理を行って所定のデジタル画像データを生成し、更にＹＣ変換処理して、輝度データとクロマデータ（以下、ＹＣデータと言う）を生成し、このＹＣデータを被写体像を表すデジタル画像データとして、メモリ制御回路３６を介して、ＳＤＲＡＭ２０に一旦格納する。
【００５５】
このＳＤＲＡＭ２０に格納されたデジタル画像データは、メモリ制御回路３６を介して画像処理部４４により読み出されて、図示しない圧縮伸長回路により、ＪＰＥＧ等所定の圧縮方式で圧縮された後、記録メディアＩ／Ｆ６０に入力され、該デジタルカメラ１０に装填中の記録メディア７２に記録される。
【００５６】
なお、記録メディア７２としては、スマートメディア、ＰＣカード、マイクロドライブ、マルチメディアカード（ＭＭＣ）、磁気ディスク、光ディスク、光磁気ディスク、メモリスティック等の種々の形態が可能であり、使用されるメディアに応じた信号処理手段とインターフェースが適用される。
【００５７】
また、ＳＤＲＡＭ２０に格納されたデジタル画像データは、メモリ制御回路３６を介して読み出されて、ＬＣＤ駆動回路３４に入力される。なお、ＳＤＲＡＭ２０からＬＣＤ駆動回路３４へは、ＤＭＡ転送によりデジタル画像データが高速転送されるようになっている。
【００５８】
ＬＣＤ駆動回路３４は、ビデオエンコーダ５０を備えており、入力されたデジタル画像データ（ＹＣ信号）をＮＴＳＣ（Ｎａｔｉｏｎａｌ  ＴＶ  Ｓｔａｎｄａｒｄｓ    Ｃｏｍｍｉｔｔｅｅ）信号に変換する。また、ＬＣＤ駆動回路３４は、ＬＣＤユニット１６と接続されており、変換したＮＴＳＣ信号をＬＣＤ１６ユニットに供給することで、ＬＣＤユニット１６に当該デジタル画像データに基づく画像を表示させる。
【００５９】
また、ＣＣＤ１４から出力される画像信号によってデジタル画像データが定期的に書き換えられ、そのデジタル画像データから生成される映像信号がＬＣＤユニット１６に供給されることにより、ＣＣＤ１４がとらえる被写体像が略リアルタイムに動画像として、或いは連続した画像としてＬＣＤユニット１６に表示される。すなわち、ＬＣＤユニット１６は、電子ビューファインダとして利用でき、撮影者は、通常の光学ファインダ（図示省略）だけでなく、このＬＣＤユニット１６の表示画像（所謂スルー画像）によっても、撮影画角を確認することができる。そして、シャッタボタン１７の押下操作等所定の記録指示（撮影指示）操作に呼応して、記録用のデジタル画像データの取り込みが開始される。
【００６０】
また、画像再生時には、メディア制御回路４２により記録メディア７２に記憶された再生対象とするデジタル画像データが読み出されて、画像処理部４４に入力され、図示しない圧縮伸長手段により伸長された後、ＬＣＤ駆動回路３４に転送される。これにより、撮影により取得し、記録メディア７２に記憶したデジタル画像データに基づく画像をＬＣＤユニット１６に再生表示することができる。
【００６１】
図３に示すように、ＬＣＤユニット１６は、液晶表示部１３に備えられ、筐体３３の表示窓３３Ａに面して配設されたＬＣＤ２１と、ＬＣＤ２１の裏側を照明するバックライトユニット２３とで構成されている。
【００６２】
バックライトユニット２３は、ＬＣＤ２１を照明するための光源である蛍光管２５と、蛍光管２５から発光された光をＬＣＤ２１の裏面へ向かって反射するリフレクタ２７と、蛍光管２５から発光された光を被写体Ａへ向かって反射し、補助光として照射させる反射板２９とで構成されている。
【００６３】
蛍光管２５は、ＬＣＤ２１の裏側の下端部付近に配設され、リフレクタ２７は、ＬＣＤ２１の裏面に対して傾斜して配設されている。リフレクタ２７の下端部２７Ａは折り曲げられてＬＣＤ２１の下端部まで延出している。この下端部２７Ａによって、蛍光管２５から発光された光は、ＬＣＤ２１の下方へ漏れることなく全てＬＣＤ２１の照明、又は補助光として使われる。
【００６４】
また、ＬＣＤ２１の上端部とリフレクタ２７の上端部との間には隙間３１が空いており、蛍光管２５から発光された光は、この隙間３１から上方へ抜けるようになっている。そして、隙間３１の上方には反射板２９が傾斜して配設されており、隙間３１を抜けた光を被写体に向かって反射する。また、筐体３３には反射板２９に面して補助光窓３５が設けられており、反射板２９で反射された光を通過させ、被写体Ａに照射させる。
【００６５】
図４に示すように、反射板２９の下端部が回動支点２９Ａとされており、回動支点２９Ａには反射板２９を回動させるモータ３７（図５参照）が連結されている。反射板２９は、モータ３７によって約４５度傾いた状態（実線で図示した開いた状態）から略水平の状態（鎖線で図示した閉じた状態）まで回動され、上述したように蛍光管２５から発光された光を被写体Ａに照射させ、又はＬＣＤ２１の裏面へ照射させる。
【００６６】
ここで、反射板２９の開閉方法について説明する。
【００６７】
図６のフローチャートに示すように、デジタルカメラ１０の電源スイッチがＯＮになると本フローが開始され、ステップ１０１に進む。ステップ１０１では、カメラ本体１１に内蔵されたセンサ３９（図５参照）によって被写体Ａの周囲の光量が測光され、該光量が所定値よりも小さく被写体の周囲が暗い時はステップ１０２に進む。
【００６８】
ステップ１０２では、画像処理部４４のＣＰＵがセンサ３９からの信号を受け取り、モータ制御回路４５を介してモータ３７を駆動させて反射板３９を開かせる。蛍光管２５から発光された光は補助光として被写体Ａに照射される。これによって、暗所での撮影でも被写体Ａは明るく撮影される。
【００６９】
そして、ステップ１０１で、周囲の光量が所定値よりも大きく周囲が明るい時はステップ１０３に進む。ステップ１０３では、カメラ本体１１に内蔵されたセンサ４３（図５参照）によって被写体Ａの輝度が測定され、該輝度が所定値よりも小さく被写体Ａが暗く映っている時は、ステップ１０２に進み、同様に反射板２９を開く。これによって、逆光で被写体Ａが影になっている時等でも被写体Ａを明るく撮影できる。
【００７０】
ステップ１０３で、被写体Ａの輝度が所定値よりも大きく被写体Ａが明るく映っている時は、ステップ１０４に進む。ステップ１０４では、静止画撮影モードにおいてレリーズボタン１７を半押し、又は動画撮影モードにおいてレリーズボタン１７を全押して被写体Ａの画像を得る。この際、センサ４７（図５参照）が画像のコントラストの最大値を検出できず、被写体Ａを測距できない時は、ステップ１０２に進む。
【００７１】
ステップ１０２では、画像処理部４４のＣＰＵが、センサ４７からの信号に基づいてモータ制御回路４５を介してモータ３７を駆動させ、反射板２９を開かせる。
【００７２】
これによって、蛍光管２５から発光された光が補助光として被写体Ａに照射され、被写体Ａのコントラストが鮮明になるので、被写体Ａのコントラストの最大値を得ることができ、被写体Ａを測距できる。従って、被写体Ａのコントラストが最大になるようにレンズ位置を調整する方式のＡＦ機構の合焦制御が可能となる。
【００７３】
そして、ステップ１０４で、得られた画像のコントラストの最大値が得られた時は、ステップ１０５に進み、反射板２９を閉じたままの状態でＡＦ機構の合焦制御を行う。これによって、蛍光管２５から発光された光は全てリフレクタ２７と反射板２９によってＬＣＤ２１の裏面へ向かって反射され、ＬＣＤ２１が明るくなる。
【００７４】
そして、本フローを終了する。本フローで説明したように、デジタルカメラ１０では、ＬＣＤ２１を照明するための光源である蛍光管２５を、暗所や逆光等の条件下での撮影、及びＡＦ機構の合焦制御等のための補助光の光源として利用している。このため、補助光用の光源を別に設ける必要がないので、部品コストを低減でき、消費電力を少なくできる。
【００７５】
なお、デジタルカメラ１０では、反射板２９が自動的に開閉するように構成したが、反射板２９を手動で開閉するようにしても良い。また、ＬＣＤユニット１６を備える液晶表示部１３をカメラ本体１１と別体としたが、これらは一体としても構わない。
【００７６】
また、３倍ズーム、３メガピクセルの条件でＡＦ機構の合焦制御を行う場合、１０ｍ先まで補助光を到達させることが必要となるが、高輝度タイプのＬＥＤ、ＦＬ管の光量で足り、通常のＬＣＤ照明用のバックライトの光量であれば十分大きい。このため、蛍光管２５を同時にＬＣＤ２１の照明用と補助光用の光源として使用しても、双方十分に機能する。
【００７７】
次に、第１の実施形態のデジタルカメラ１０の液晶表示部１３の変形例について説明する。なお、液晶表示部１３と同一の構成には同一の符号を付している。
【００７８】
図７に示すように、液晶表示部１３の変形例である液晶表示部５０には、ＬＣＤユニット５２が備えられている。ＬＣＤユニット５２は、ＬＣＤ２１と、ＬＣＤ２１の裏側を照明するバックライトユニット５３とで構成されている。
【００７９】
バックライトユニット５３は、補助光窓３５に面して配設された蛍光管５４と、ＬＣＤ２１の裏面に面して傾斜して配設され、蛍光管５４を上端部に収納するリフレクタ５６とで構成されている。
【００８０】
リフレクタ５６の上端部及び下端部は折り曲げられてそれぞれＬＣＤ２１の上端部及び下端部まで延出し、蛍光管５４から発光された光がＬＣＤ２１の上方及び下方に漏れないようになっている。リフレクタ５６の蛍光管５４と補助光窓３５との間の部分は通過窓５６Ａとされており、蛍光管５４から発光された光は通過窓５６Ａ、及び補助光窓３５を通過して被写体Ａに照射する。
【００８１】
また、通過窓５６Ａと補助光窓３５との間には、遮光板５８が上下方向にスライド可能に配設されている。遮光板５８にはラック（図示省略）が形成されており、このラックにギアを噛合させるモータ６０（図５参照）が設けられている。
【００８２】
遮光板５８は、モータ６０によって通過窓５６Ａと補助光窓３５との間の位置（鎖線で図示した閉じた状態）から下方の位置（実線で図示した開いた状態）まで上下され、蛍光管５４から発光された光を遮光し、又は通過させて被写体Ａに照射させる。なお、遮光板５８の開閉方法は、液晶表示部１３の反射板２９の開閉方法とほぼ同じなので説明を省略する。
【００８３】
上述したように、蛍光管５４から発光された光を反射させることなく直接、被写体Ａに照射させるようにしたので、該光がリフレクタ５６内で減衰されることがない。従って、被写体Ａを明るく照らすことができる。
【００８４】
なお、光源は、蛍光管５４に替えて、図８に示すようにＬＥＤ６２としても良い。
【００８５】
次に、液晶表示部５０の変形例の液晶表示部７０について説明する。なお、液晶表示部１３、５０と同じ構成については同一の符号を付している。
【００８６】
図９に示すように、液晶表示部７０は、ＬＣＤユニット７２を備えている。ＬＣＤユニット７２は、ＬＣＤ２１と、バックライト７４とで構成されている。バックライト７４は板状の有機ＥＬ（Ｅｌｅｃｔｒｏ    Ｌｕｍｉｎｅｓｃｅｎｃｅ）素子であって、発光面をＬＣＤ２１の裏面に向けてＬＣＤ２１を照明している。このＬＣＤ２１に面した部分がＬＣＤ照明部７４Ａとされている。
【００８７】
また、バックライト７４の上部はＵ字状に折り曲げられ、発光面を補助光窓３５に向けている。この補助光窓３５に面した部分が、補助光発光部７４Ｂとされている。この補助光発光部７４Ｂを、上述した液晶表示部１３、５０と同様に、周囲、又は被写体Ａが暗い時、ＡＦ機構の合焦制御ができない時等に発光させ、被写体Ａに補助光を照射させる。
【００８８】
次に、液晶表示部５０、７０の変形例の液晶表示部９０について説明する。なお、液晶表示部１３、５０、７０と同じ構成については同一の符号を付している。
【００８９】
図１０に示すように、液晶表示部９０は、反射型ＬＣＤユニット９１を備えている。反射型ＬＣＤユニット９１は、反射型ＬＣＤ９２と反射型ＬＣＤ９２の表面を照射するフロントライトユニット９３とで構成されている。
【００９０】
フロントライトユニット９３は、補助光窓３５に面して配設された蛍光管９４と、反射型ＬＣＤ９２の表面に面して配設された導光板９５、導光板９５の上方に設けられ蛍光管９４を収納するリフレクタ９６とで構成されている。
【００９１】
リフレクタ９６には補助光窓３５に面して通過窓９６Ａが設けられており、蛍光管９４から発光された光は、通過窓９６Ａ、補助光窓３５を通過して被写体へ補助光として照射される。
【００９２】
また、導光板９５は、アクリル系樹脂で表面を波目状に形成されており、傾斜が急なプリズム部９５Ａで蛍光管９４から発光された光を反射型ＬＣＤ９２の表面へ反射する。
【００９３】
反射型ＬＣＤ９２は、カラーフィルタ層９２Ａ、液晶層９２Ｂ、及び拡散反射型電極９２Ｃの３層構造で、プリズム部９５Ａで反射された光は、拡散反射電極９２Ｃで反射されて液晶層９２Ｂ、カラーフィルタ層９２Ａ、導光板９５、及び表示窓３３Ａを透過する。これによって、反射型ＬＣＤ９２が表示される。
【００９４】
次に、第２の実施形態について説明する。なお、第１の実施形態と同一の構成には同一の符号を付している。
【００９５】
図１１に示すように、カメラ付き携帯電話（以下、携帯電話と言う）８０は、本体部８２と、内側に有機ＥＬ画面８３を備え、表側にカメラ８５（図１２参照）を備える蓋８４とで構成され、これらはヒンジ８６で開閉可能に連結されている。
【００９６】
図１２に示すように、蓋８４の筐体８８の内側には、表示窓８８Ａが設けられている。この表示窓８８Ａに面して有機ＥＬ画面８３が配設されている。第１の実施形態のＬＣＤ２１がバックライトに照らされてはじめて視認できるのに対して、有機ＥＬ画面８３は自ら発光することで視認できるようになっており、バックライトを必要としない。
【００９７】
有機ＥＬ画面８３は、表示窓８８Ａに面する部分が表示領域８３Ａとされ、表示領域の上側の領域が補助光照射領域８３Ｂとされている。また、筐体８８の表側には補助光窓８８Ｂが設けられている。そして、筒状のライトガイド８９が、補助光照射領域８３Ｂから補助光窓８８Ｂまで延出している。このライトガイド８９の両端部の開口面９０Ａ、９０Ｂが、それぞれ補助光照射領域８３Ｂと補助光窓８８Ｂに面しており、補助光照射領域８３Ｂから発光された光がライトガイド８９によって補助光窓８８Ｂまで導かれて被写体Ａに照射される。
【００９８】
上述した第１の実施形態と同様に、被写体Ａ、又は被写体Ａの周囲が暗いこと、ＡＦ機構の合焦制御ができないことがセンサ３９、４３、４７（図１３参照）によって検出されると、有機ＥＬ画面制御部８７（図１３参照）が、補助光照射領域８３Ｂを発光させ、被写体Ａに補助光を照射させる。
【００９９】
このように、有機ＥＬ画面８３の一部から発光される光を被写体へ補助光として照射させるようにしたので、補助光用の光源を別に設ける必要がない。また、ライトガイド８９によって有機ＥＬ画面８３から発光された光を被写体へ向けて照射させるようにしたことで、有機ＥＬ画面８３を平面状とすることが可能となり、筐体８８を薄型にできる。
【０１００】
以上、第１、第２の実施形態において説明したように、デジタルカメラやカメラ付き携帯電話等の撮影装置のＬＣＤのバックライトや有機ＥＬ画面等を暗所、逆光での撮影やＡＦ機構の合焦制御等のための補助光の光源として利用することによって、補助光用の光源を個別に設ける必要がなくなる。これによって、部品コストを低減でき、省電力化が可能となる。
【０１０１】
【発明の効果】
本発明は上記構成としたので、表示画面を表示させるための光源をオートフォーカスや撮影のための補助光として利用でき、部品コストを低減でき、省電力化が可能となる。
【図面の簡単な説明】
【図１】本発明の第１の実施形態に係るデジタルカメラを示す斜視図である。
【図２】本発明の第１の実施形態に係るデジタルカメラの回路図である。
【図３】本発明の第１の実施形態に係るデジタルカメラを示す側面図である。
【図４】本発明の第１の実施形態に係るデジタルカメラの液晶表示部を示す断面図である。
【図５】本発明の第１の実施形態に係るデジタルカメラの回路図である。
【図６】本発明の第１の実施形態に係るデジタルカメラの反射板の開閉方法を示すフローチャートである。
【図７】本発明の第１の実施形態に係るデジタルカメラの液晶表示部の変形例を示す断面図である。
【図８】本発明の第１の実施形態に係るデジタルカメラの液晶表示部の変形例を示す断面図である。
【図９】本発明の第１の実施形態に係るデジタルカメラの液晶表示部の変形例を示す断面図である。
【図１０】本発明の第１の実施形態に係るデジタルカメラの液晶表示部の変形例を示す断面図である。
【図１１】本発明の第２の実施形態に係るカメラ付き携帯電話を示す斜視図である。
【図１２】本発明の第２の実施形態に係るカメラ付き携帯電話を示す断面図である。
【図１３】本発明の第２の実施形態に係るカメラ付き携帯電話の回路図である。
【符号の説明】
１０    デジタルカメラ（撮影装置）
２１    ＬＣＤ（表示画面）
２５    蛍光管（発光手段）
２７    リフレクタ（照射手段、反射部材）
２９    反射板（導光手段）
３７    モータ（反射板駆動手段）
３９    センサ（第１の測光手段）
４３    センサ（第２の測光手段）
４５    モータ制御回路（第１の反射板制御手段、第２の反射板制御回路）
４７    センサ（測距手段）
５４    蛍光管（発光手段）
５６    リフレクタ（照射手段、反射部材）
５６Ａ  通過窓（導光手段）
５８    遮光板
６０    モータ（遮光板駆動手段）
６２    ＬＥＤ（発光手段）
８０    カメラ付き携帯電話（撮影装置）
８３    有機ＥＬ画面（発光表示画面）
８３Ａ  表示領域
８３Ｂ  補助光照射領域（被写体照射領域）
８７    有機ＥＬ画面制御回路（第１の発光表示画面制御手段、第２の発光表示画面制御手段）
８９    ライトガイド
９２    反射型ＬＣＤ（表示画面）
９４    蛍光管（発光手段）
９５    導光板（照射手段、照射部材）
９６Ａ  通過窓（導光手段）
【図１】
2005057330.tif 000003
【図２】
2005057330.tif 000004
【図３】
2005057330.tif 000005
【図４】
2005057330.tif 000006
【図５】
2005057330.tif 000007
【図６】
2005057330.tif 000008
【図７】
2005057330.tif 000009
【図８】
2005057330.tif 000010
【図９】
2005057330.tif 000011
【図１０】
2005057330.tif 000012
【図１１】
2005057330.tif 000013
【図１２】
2005057330.tif 000014
【図１３】
2005057330.tif 000015